(57)【要約】【課題】  壁掛設置の際にスタンドの一部と支持台とを取外し保管する必要をなくして卓上設置，壁掛設置の変換作業を容易にする。【解決手段】  表示部１がスタンド３を介して卓面に当接される支持台２に支持され、スタンド３が表示部１の背面に連結されている。スタンド３は、表示部１に対して上下方向へ１８０度の角度で回動可能に連結されている。スタンド３と支持台２とは、スタンド３の前方側の端部を支点として前後方向へ９０度の角度で回動可能に連結されている。【選択図】  図１
2007328069.tif 000002
【特許請求の範囲】
【請求項１】
表示部がスタンドを介して卓面に当接される支持台に支持され、スタンドが表示部の背面に連結された薄型表示装置において、スタンドは表示部に対して上下方向へ１８０度の角度で回動可能に連結され、スタンドと支持台とはスタンドの前方側の端部を支点として前後方向へ９０度の角度で回動可能に連結されていることを特徴とする薄型表示装置。
【請求項２】
請求項１の薄型表示装置において、表示部とスタンドとの連結は任意の角度で回動をロック可能であることを特徴とする薄型表示装置。
【請求項３】
請求項１または２の薄型表示装置において、スタンドと支持台との間には卓上設置の状態での連結をロックするロック機構が設けられていることを特徴とする薄型表示装置。
【請求項４】
壁面に当接されて取付けられる取付ベースと、取付ベースの下端部に回動可能に支持され薄型表示装置の表示部を支持する支持台を収容可能な収容ケースと、取付ベースと収容ケースとに連結され収容ケースの回動限界を規制するアームとを備えたことを特徴とする薄型表示装置用取付具。
【請求項５】
請求項４の薄型表示装置用取付具において、収容ケースは薄型表示装置の支持台を収容する際に支持台に連結されたスタンドを通過させる通過用溝が上端部から切欠き形成されていることを特徴とする薄型表示装置用取付具。
【発明の詳細な説明】
【技術分野】
【０００１】
本発明は、液晶テレビ，パソコン用液晶モニタ等の薄型表示装置に係る技術分野に属する。
【背景技術】
【０００２】
最近、薄型表示装置として、卓面（床面）に載せて設置する卓上（床上）設置と壁面に掛けて設置する壁掛設置とを随時に変換できるようにしたものが提供されている。薄型表示装置の設置構造は、液晶パネル，各種基板等を収容してかなり重量のある表示部を卓面（床面）に当接する支持台にスタンド（支柱）を介して支持してなるものが一般的である。従って、卓上設置を安定させるためには、支持台の卓面への当接面積を大きくすることが必要となる。ところが、支持台が大型化すると、壁掛設置の際に支持台（特に、表示部，スタンドの後方側へ突出した部分）が邪魔になってしまうという不具合が生ずる。このため、薄型表示装置の設置構造に卓上設置，壁掛設置の双方に充分に対応することのできる機能を備えることが要望されている。
【０００３】
従来、設置構造に卓上設置，壁掛設置の双方に充分に対応することのできる機能を備えた薄型表示装置としては、例えば、以下に記載のものが知られている。
【特許文献１】特開２００５−１１５４０３号公報  特許文献１には、表示部に対してスタンドの一部と支持台とを着脱可能にした薄型表示装置が記載されている。
【０００４】
特許文献１に係る薄型表示装置は、壁掛設置の際に表示部からスタンドの一部と支持台とを取外すことで、表示部の背面側から壁掛設置の邪魔になる不要物を除去するものである。もちろん、表示部やスタンドの他の一部に取外したスタンドの一部と支持台とを取付ければ、卓上設置に再度変換することができるものである。
【発明の開示】
【発明が解決しようとする課題】
【０００５】
特許文献１に係る薄型表示装置では、卓上設置，壁掛設置の変換のたびにスタンドの一部と支持台との取付け，取外しが必要であるため、卓上設置，壁掛設置の変換作業が面倒であるとともに、取外された特殊形状であるスタンドの一部と支持台との保管場所に困るという問題点がある。
【０００６】
本発明は、このような問題点を考慮してなされたもので、壁掛設置の際にスタンドの一部と支持台とを取外し保管する必要をなくして卓上設置，壁掛設置の変換作業を容易にした薄型表示装置と、この薄型表示装置を壁掛設置するために使用される薄型表示装置用取付具とを提供することを課題とする。
【課題を解決するための手段】
【０００７】
前述の課題を解決するため、本発明に係る薄型表示装置は、特許請求の範囲の請求項１〜３に記載の手段を採用する。
【０００８】
即ち、請求項１では、表示部がスタンドを介して卓面に当接される支持台に支持され、スタンドが表示部の背面に連結された薄型表示装置において、スタンドは表示部に対して上下方向へ１８０度の角度で回動可能に連結され、スタンドと支持台とはスタンドの前方側の端部を支点として前後方向へ９０度の角度で回動可能に連結されていることを特徴とする。
【０００９】
この手段では、スタンド，支持台を回動させることでスタンド，支持台が表示部の背面に折畳まれ、壁掛設置の邪魔になる支持台の表示部，スタンドの後方側へ突出が低減されるため、そのまま壁掛設置することが可能になる。
【００１０】
また、請求項２では、請求項１の薄型表示装置において、表示部とスタンドとの連結は任意の角度で回動をロック可能であることを特徴とする。
【００１１】
この手段では、卓上設置，壁掛設置のいずれの場合にも表示部の上下方向の向きの調整が可能になる。
【００１２】
また、請求項３では、請求項１または２の薄型表示装置において、スタンドと支持台との間には卓上設置の状態での連結をロックするロック機構が設けられていることを特徴とする。
【００１３】
この手段では、ロック機構によって卓上設置の際のスタンド，支持台の不測の回動が阻止される。
【００１４】
前述の課題を解決するため、本発明に係る薄型表示装置用取付具は、特許請求の範囲の請求項４，５に記載の手段を採用する。
【００１５】
即ち、請求項４では、壁面に当接されて取付けられる取付ベースと、取付ベースの下端部に回動可能に支持され薄型表示装置の表示部を支持する支持台を収容可能な収容ケースと、取付ベースと収容ケースとに連結され収容ケースの回動限界を規制するアームとを備えたことを特徴とする。
【００１６】
この手段では、薄型表示装置の表示部の背面に折畳まれた支持台を収容ケースに収容することで、薄型表示装置を壁掛設置することができる。
【００１７】
また、請求項５では、請求項４の薄型表示装置用取付具において、収容ケースは薄型表示装置の支持台を収容する際に支持台に連結されたスタンドを通過させる通過用溝が上端部から切欠き形成されていることを特徴とする。
【００１８】
この手段では、通過溝によって収容ケースに薄型表示装置のスタンドを衝突させることなく支持台を上方からスライドさせて収容することができる。
【発明の効果】
【００１９】
本発明に係る薄型表示装置は、スタンド，支持台を回動させることでスタンド，支持台が表示部の背面に折畳まれ、壁掛設置の邪魔になる支持台の表示部，スタンドの後方側へ突出が低減され、そのまま壁掛設置することが可能になるため、壁掛設置の際にスタンドの一部と支持台とを取外し保管する必要をなくして卓上設置，壁掛設置の変換作業を容易にすることができる効果がある。
【００２０】
また、請求項２として、卓上設置，壁掛設置のいずれの場合にも表示部の上下方向の向きの調整が可能になるため、表示部の見やすさの低下を防止することができる効果がある。
【００２１】
また、請求項３として、ロック機構によって卓上設置の際のスタンド，支持台の不測の回動が阻止されるため、卓上設置の安定性が向上する効果がある。
【００２２】
さらに、本発明に係る薄型表示装置用取付具は、薄型表示装置の表示部の背面に折畳まれた支持台を収容ケースに収容することで、薄型表示装置を壁掛設置することができるため、簡単な作業で薄型表示装置を壁掛設置することができる効果がある。
【００２３】
また、請求項５として、通過溝によって収容ケースに薄型表示装置のスタンドを衝突させることなく支持台を上方からスライドさせて収容することができるため、より簡単な作業で薄型表示装置を壁掛設置することができる効果がある。
【発明を実施するための最良の形態】
【００２４】
以下、本発明に係る薄型表示装置および薄型表示装置用取付具を実施するための最良の形態を図面に基づいて説明する。
【００２５】
図１〜図３は、本発明に係る薄型表示装置を実施するための最良の形態を示すものである。
【００２６】
薄型表示装置Ａは、図１，図２に示すように、表示部１を支持台２，スタンド３で支持する設置構造が構成されている。
【００２７】
表示部１は、ほぼ方体形のハウジングに液晶パネル，各種基板等が収容されている。支持台２は、平面形状がほぼ方形に形成されている。スタンド３は、角柱形に形成されている。
【００２８】
表示部１とスタンド３とは、表示部１の背面に突出されて固定された軸４とスタンド３の上端部に形成された軸受５とにより回動可能に連結されている。軸４，軸受５は、軸線が水平方向へ配設されて、スタンド３を上下方向へ１８０度の角度で回動させことができるようになっている。また、軸４，軸受５の間には、スタンド３の回動を任意の角度でロック可能な圧接構造，弾圧構造，噛合構造等が設けられている。
【００２９】
支持台２とスタンド３とは、スタンド３の前方側の端部に設けられたヒンジ６で回動可能に連結されている。ヒンジ６は、支持台２の上面とスタンド３の底面とに埋込み取付けされ、ヒンジシャフト６ａが支持台２，スタンド３の当接の角部に位置され一方のヒンジプレート６ｂが支持台２の上面に取付けられ他方のヒンジプレート６ｃがスタンド３の底面に取付けられている。従って、スタンド３が支持台２に垂直に支持されていて、支持台２，スタンド３がヒンジ６を支点として前後方向へ９０度の角度で相対的に回動可能になっている。また、スタンド３の後方側の端部には、支持台２，スタンド３の間の不測の相対的な回動を阻止するロック機構７が設けられている。ロック機構７は、支持台２の上面とスタンド３の底面とに埋込み取付けされた機械的な係合着脱構造等からなる。
【００３０】
この形態の卓上設置では、図１，図３（Ａ）に示すように、支持台２，スタンド３による通常の設置構造となる。このとき、ロック機構７によって、スタンド３が前方側に傾倒するのが阻止されている。従って、卓上設置での安定性が確保されている。
【００３１】
この形態を卓上設置から壁掛設置に変換する場合には、図３（Ｂ）に示すように、ロック機構７のロックを解除して、支持台２，スタンド３を軸４，軸受５，ヒンジ６で回動させる。そして、図２，図３（Ｃ）に示すように、表示部１に対してスタンド３を１８０度回動させ、支持台２，スタンド３を相対的に９０度回動させることで、最終的に支持台２，スタンド３を表示部１の背面に積層するように折畳むことができる。
【００３２】
この結果、壁掛設置の邪魔になる支持台２の表示部１，スタンド３の後方側へ突出が低減され、そのまま壁掛設置することが可能になる。このため、壁掛設置の際にスタンド３の一部と支持台２とを取外し保管する必要がなくなり、卓上設置から壁掛設置への変換作業が容易になる。なお、壁掛設置から卓上設置への変換作業は、支持台２，スタンド３の逆方向への回動ですみ面倒にはならない。
【００３３】
なお、表示部１に対してスタンド３の回動を任意の角度でロックして、卓上設置，壁掛設置のいずれの場合にも表示部１の上下方向の向きを調整することができるため、表示部１の見やすさの低下を防止することができる。
【００３４】
図４〜図６は、本発明に係る薄型表示装置用取付具を実施するための最良の形態を示すものである。
【００３５】
薄型表示装置用取付具Ｂは、図５，図６に詳細に示されるように、取付ベース８，支軸９，収容ケース１０，アーム１１，スライド用溝１２，通過溝１３，フランジ１４の各部で箱形に形成されている。
【００３６】
取付ベース８は、断面コ字形に形成され、コ字形の開放側の逆の面である背面が壁面Ｗに当接されてネジ等によって取付けられる。取付ベース８の大きさ，形状については、薄型表示装置Ａの支持台２の大きさ，形状よりも少し余裕が確保されている。
【００３７】
支軸９は、取付ベース８の下端部の両側に１対取付けられ、収容ケース１０の下端部を回動可能に支持している。
【００３８】
収容ケース１０は、断面コ字形に形成され、コ字形の開放側を取付ベース８のコ字形の開放側に対面させて、支軸９によって取付ベース８の内部に合わされた姿勢から取付ベースから前方に傾倒した姿勢まで回動できるように支持されている。収容ケース１０の大きさ，形状は、薄型表示装置Ａの支持台２の大きさ，形状にほぼ一致している。
【００３９】
アーム１１は、収容ケース１０の回動限界を規制するもので、アーム本体１１ａと、アーム本体１１ａの一端部に設けられ取付ベース８に固定された固定軸１１ｂと、アーム本体１１ａの他端部に設けられ収容ケース１０に沿ってスライドするスライド軸１１ｃとからなる。このアーム１１は、取付ベース８，収容ケース１０のコ字形の両端片の間に設けられたスペースに装備されている。
【００４０】
スライド用溝１２は、収容ケース１０のコ字形の両端片に上下方向に開口された細長窓からなる。このスライド用溝１２には、アーム１１のスライド軸１１ｃがスライド可能に係止されている。
【００４１】
通過溝１３は、収容ケース１０の上端部から下方へ向けて細長形に切込み形成されている。この通過溝１３の幅は、薄型表示装置Ａのスタンド３の幅とほぼ一致している。
【００４２】
フランジ１４は、通過溝１３の縁辺から収容ケース１０の外方側へ突出されている。
【００４３】
なお、取付ベース８，収容ケース１０の間には、取付ベース８，収容ケース１０を図４の状態にロックするロック機構が設けられている。このロック機構については、アーム１１を利用することで簡単に構成することができる。
【００４４】
この形態によると、図５，図６（Ａ）に示すように、壁面Ｗに取付けられた取付ベース６から収容ケース１０を傾倒させた状態として、薄型表示装置Ａを壁掛設置を実行することになる。
【００４５】
即ち、薄型表示装置用取付具Ｂの傾倒された収容ケース１０に対して、支持台２，スタンド３を折畳んだ薄型表示装置Ａを上方に位置させ、薄型表示装置Ａを斜め下方に移動させるようにして支持台２を薄型表示装置用取付具Ｂの収容ケース１０にスライドさせて収容する（図６（Ｂ）参照）。このとき、薄型表示装置Ａの支持台２，スタンド３を完全に折畳んでおく必要はなく、好ましくは薄型表示装置用取付具Ｂの収容ケース１０の傾倒の角度に薄型表示装置Ａの支持台２の回動の角度を合わせておく。なお、薄型表示装置Ａの支持台２を薄型表示装置用取付具Ｂの収容ケース１０にスライドさせる際には、薄型表示装置用取付具Ｂの通過溝１３が収容ケース１０と薄型表示装置Ａのスタンド３，ヒンジ６とを回避する。
【００４６】
この後、図６（Ｃ）に示すように、薄型表示装置Ａを壁面Ｗに押付けるようにすることで、壁掛設置が完了する。このとき、薄型表示装置Ａの支持台２，スタンド３が完全に折畳まれるのに連動して、薄型表示装置用取付具Ｂの収容ケース１０が薄型表示装置Ａの支持台２を収容した状態で取付ベース８に合わされロックされる。
【００４７】
従って、薄型表示装置Ａを斜め下方に移動させてから壁面Ｗに押付けるという簡単な作業で壁掛設置を実行することができる。
【００４８】
なお、壁掛設置では、薄型表示装置用取付具Ｂの通過溝１３，フランジ１４が薄型表示装置Ａのスタンド３を両側から挟込むため、薄型表示装置Ａのぐらつきが防止される。
【００４９】
また、壁掛設置の薄型表示装置用取付具Ｂから薄型表示装置Ａを取外すには、薄型表示装置Ａを壁面Ｗから引剥がすようにした後に斜め上方に引上げればよい。
【００５０】
以上、図示した形態の外に、薄型表示装置Ａの支持台２の形状に対応して、薄型表示装置用取付具Ｂの形状を変更することは可能である。
【図面の簡単な説明】
【００５１】
【図１】本発明に係る薄型表示装置を実施するための最良の形態の卓上設置の場合の斜視図である。
【図２】本発明に係る薄型表示装置を実施するための最良の形態の壁掛設置場合の斜視図である。
【図３】図１，図２の変換の側面図であり、（Ａ）〜（Ｃ）に変換作業順が示されている。
【図４】本発明に係る薄型表示装置用取付具を実施するための最良の形態の斜視図である。
【図５】図４の他の動作状態図である。
【図６】図４，図５への薄型表示装置の取付作業の側面図であり、（Ａ）〜（Ｃ）に取付作業順が示されている。
【符号の説明】
【００５２】
１            表示部
２            支持台
３            スタンド
４            軸
５            軸受
６            ヒンジ
７            ロック機構
８            取付ベース
９            支軸
１０          収容ケース
１１          アーム
１３          通過溝
Ａ            薄型表示装置
Ｂ            薄型表示装置用取付具
ｗ            壁面
【図１】
2007328069.tif 000003
【図２】
2007328069.tif 000004
【図３】
2007328069.tif 000005
【図４】
2007328069.tif 000006
【図５】
2007328069.tif 000007
【図６】
2007328069.tif 000008